(57)【要約】本発明は、例示的な実施形態において、無線通信装置にＧＰＳ利用可能なアンテナを提供するシステムおよび方法を提供する。無線通信装置（４００）は複数の受信信号パス（４１８、４２０、４２６）備え、受信信号パスの各々は、特定の周波数バンドの信号を受信するように構成されている。通信装置は、複数の受信信号パスの各々に結合された増幅器（４２２）も備える。増幅器は、複数の受信信号パスの各々に関連した受信信号を増幅するように構成されている。
2007525857.tif 000002
【特許請求の範囲】
【請求項１】
アンテナを用いて複数の通信バンドに関連した信号を通信するように構成されたＮプレクサであって、該Ｎプレクサが該複数の通信バンドに関連した複数の通信ポートを備え、該複数の通信ポートの各々が、該関連した通信バンドの受信信号を通すように、かつ別の通信バンドに関連した受信信号を除去するように構成された受信バンドパスフィルタを備える、Ｎプレクサ。
【請求項２】
前記複数の通信ポートの少なくとも一部が、前記関連した通信バンドの送信信号を通すように構成された送信バンドパスフィルタをさらに備え、所定の通信ポート用の前記受信バンドパスフィルタおよび該送信バンドパスフィルタが、該関連した受信信号と送信信号との間に分離を提供するように構成されている、請求項１に記載のＮプレクサ。
【請求項３】
所定の通信ポート用の前記受信バンドパスフィルタおよび前記送信バンドパスフィルタが、別の通信バンドに関連した信号を除去するようにさらに構成されている、請求項２に記載のＮプレクサ。
【請求項４】
前記ＮプレクサがＦＢＡＲ装置である、請求項１に記載のＮプレクサ。
【請求項５】
前記ＮプレクサがＳＡＷ装置を備える、請求項１に記載のＮプレクサ。
【請求項６】
前記Ｎプレクサがインダクタ・コンデンサ装置を備える、請求項１に記載のＮプレクサ。
【請求項７】
前記複数の通信バンドのうちの１つがＧＰＳバンドである、請求項１に記載のＮプレクサ。
【請求項８】
前記複数の通信バンドのうちの１つがＰＣＳバンドである、請求項１に記載のＮプレクサ。
【請求項９】
前記複数の通信バンドのうちの１つがセルラー通信バンドである、請求項１に記載のＮプレクサ。
【請求項１０】
無線通信装置に用いるＮプレクサであって、
受信信号パスおよび送信信号パスを備える第１の通信信号ポートと、
ＧＰＳ受信信号パスを備えるＧＰＳ信号ポートと、
受信信号パスおよび送信信号パスを備える第２の通信信号ポートと
を備える、Ｎプレクサ。
【請求項１１】
各受信信号パスが、前記関連した通信信号ポートに対する受信バンド幅内の受信信号を通すように、かつ別の通信信号ポートに関連した受信信号を除去するように構成されたフィルタを備える、請求項１０に記載のＮプレクサ。
【請求項１２】
各送信信号パスが、前記関連した通信信号ポートに対する送信バンド幅内の送信信号を通すように、かつ該関連した通信信号ポートの受信信号に対する分離を提供するように構成されたフィルタを備える、請求項１１に記載のＮプレクサ。
【請求項１３】
前記ＧＰＳ受信信号パスが、受信したＧＰＳ信号を通すように、かつ別の通信信号ポートに関連した受信信号を除去するように構成されたフィルタを備える、請求項１２に記載のＮプレクサ。
【請求項１４】
前記ＮプレクサがＦＢＡＲ装置である、請求項１０に記載のＮプレクサ。
【請求項１５】
前記第１の通信信号ポートがＰＣＳ用信号ポートである、請求項１０に記載のＮプレクサ。
【請求項１６】
前記第２の通信信号ポートがセルラー用信号ポートである、請求項１５に記載のＮプレクサ。
【請求項１７】
アンテナと、
該アンテナを用いて複数の通信バンドに関連した信号を通信するように構成されたＮプレクサとを備えた無線通信装置であって、
該Ｎプレクサは該複数の通信バンドに関連した複数の通信ポートを備え、該複数の通信ポートの各々は、該関連した通信バンドの受信信号を通すように、かつ別の通信バンドに関連した受信信号を除去するように構成された受信バンドパスフィルタを備える、無線通信装置。
【請求項１８】
前記複数の通信ポートの少なくとも一部が、前記関連した通信バンドの送信信号を通すように構成された送信バンドパスフィルタをさらに備え、所定の通信ポート用の前記受信バンドパスフィルタおよび該送信バンドパスフィルタが、該関連した受信信号と送信信号との間に分離を提供するように構成されている、請求項１７に記載の無線通信装置。
【請求項１９】
所定の通信ポート用の前記受信バンドパスフィルタおよび前記送信バンドパスフィルタが、別の通信バンドに関連した信号を除去するようにさらに構成されている、請求項１７に記載の無線通信装置。
【請求項２０】
前記ＮプレクサがＦＢＡＲ装置である、請求項１７に記載の無線通信装置。
【請求項２１】
前記ＮプレクサがＳＡＷ装置を備える、請求項１７に記載の無線通信装置。
【請求項２２】
前記Ｎプレクサがインダクタ・コンデンサ装置を備える、請求項１７に記載の無線通信装置。
【請求項２３】
前記複数の通信バンドのうちの１つがＧＰＳバンドである、請求項１７に記載の無線通信装置。
【請求項２４】
前記複数の通信バンドのうちの１つがＰＣＳバンドである、請求項１７に記載の無線通信装置。
【請求項２５】
前記複数の通信バンドのうちの１つがセルラー通信バンドである、請求項１７に記載の無線通信装置。
【請求項２６】
複数の受信信号を受信することと、
該複数の受信信号をＮプレクサに結合することと、
該Ｎプレクサを用いて該複数の受信信号をバンドパスフィルタリングすることと
を包含する無線通信方法。
【請求項２７】
前記Ｎプレクサを用いて複数の送信信号をバンドパスフィルタリングすることと、該フィルタリングされた送信信号をアンテナに結合することとをさらに包含する、請求項２６に記載の方法。
【請求項２８】
前記Ｎプレクサを用いて前記複数の送信信号から前記複数の受信信号を分離することをさらに包含する、請求項２７に記載の方法。
【請求項２９】
必要に応じて前記Ｎプレクサを用いて前記複数の受信信号の除去を提供する、請求項２６に記載の方法。
【請求項３０】
前記ＮプレクサがＦＢＡＲ装置である、請求項２６に記載の方法。
【発明の詳細な説明】
【技術分野】
【０００１】
本発明は、概して、複数の通信バンドを用いた動作用に構成された無線通信装置に関し、より詳しくは、ＧＰＳ利用可能なマルチバンド無線通信装置に関する。
【背景技術】
【０００２】
従来のハンドヘルド型全地球測位システム（ＧＰＳ）装置は、ＧＰＳシステムからのＧＰＳバンド信号を受信し処理することによって、ＧＰＳ装置の位置に関連した位置情報を提供する。上記位置情報はきわめて有用であり得るが、従来のＧＰＳ装置を携行することは、常に便利とは限らない。特に、ユーザーが１つ以上の別の携帯可能な装置（例えば、ノート型パソコン、無線ハンドセット、パーソナルデジタルアシスタント（ＰＤＡ）、または、ユーザーが頼る別の携帯可能な装置）を持ち歩く必要がある場合がそうである。従って、ＧＰＳ位置決め機能が、それらの別の携帯可能な装置のうちの１つに統合されることは、望ましい。
【０００３】
あいにく、別の携帯可能な装置とのＧＰＳ技術の統合は困難である、ということが判明している。例えば、無線バンドセットにＧＰＳの性能を追加する３つの方法がインプリメントされてきたが、それらは、用いるには十分でないことが判明した。
【０００４】
第１の方法は、ＧＰＳ受信に対する別個のアンテナを追加することによって、無線ハンドセットにおいてＧＰＳの性能を追加する方法である。無線ネットワークアンテナが修正されないため、ネットワーク通信の質は悪影響を受けない。しかし、無線ネットワーク用のモバイルハンドセットが小型化されてきているため、別個の特注設計のＧＰＳアンテナをハンドセットハウジングに収容するために利用可能な空間は小さくなってきている。さらに、ハンドセットハウジングに配置されたＧＰＳアンテナは通常、複数の受信に関する問題を被る。例えば、ハンドセットハウジング内の電磁場遮蔽およびハンドセットハウジング自身によって、不良な受信が引き起こされ得る。電磁場遮蔽を調節することによりＧＰＳアンテナを収容することによって、ハンドセットの実質的な再設計およびテストが引き起こされ得る。また、無線ハンドセットに別個のアンテナおよびそれに関連した回路を追加することによって、費用およびデザインの複雑さが増す。
【０００５】
第２の方法は、ＧＰＳバンド信号を適切に受信する無線ハンドセット上の既存のネットワークアンテナを有効にすることによって、無線ハンドセットにＧＰＳの性能を追加する方法である。例えば、典型的なデュアルバンドアンテナは、約１９００ＭＨｚにおいてＰＣＳ信号を受信するように構成され得、約８００ＭＨｚにおいてセルラー信号を受信するように構成され得る。従って、既存のデュアルバンドアンテナは、約１５７５ＭＨｚにおいてＧＰＳ信号を受信することができ得るという可能性はあり得る。しかし、ＧＰＳ信号は、デュアルバンドアンテナに対して共振しない周波数にあり、受信したＧＰＳ信号は、最適のものよりも小さくあり得、それによって、信号転送の質が悪くなる。この点に関して、既知のデュアルバンドアンテナシステムは、無線ハンドセット上に確かなＧＰＳ位置決定性能をインプリメントするに十分な強度および質のＧＰＳ信号を受信することができない。
【０００６】
第３の方法は、トリバンド（ｔｒｉ−ｂａｎｄ）アンテナを用いて無線ハンドセットにＧＰＳの性能を追加する方法である。トリバンドアンテナは、例えば、セルラー周波数と、ＰＣＳ周波数と、ＧＰＳ周波数を受信するように構成される。しかし、アンテナの設計における制限によって、そのようなアンテナは通常、セルラーもしくはＰＣＳの性能の一方、または両方を危うくする。トリバンドアンテナを用いることによって、アンテナに対するコストが、実質的に増す。
【発明の開示】
【課題を解決するための手段】
【０００７】
（発明の概要）
本発明は、無線通信装置（例えば、無線ハンドセット）における全地球測位システム（ＧＰＳ）利用可能なアンテナを提供する従来のシステムおよび方法の欠点を大いに軽減する。
【０００８】
例示的な実施形態では、本発明は、無線通信装置にＧＰＳ利用可能なアンテナを提供するシステムおよび方法を提供する。無線通信装置は、従来の通信アンテナと、関連した回路とに結合されたＧＰＳ切替モジュールを含む。ＧＰＳ切替モジュールは、ＧＰＳ整合回路に通信アンテナを選択的に結合すように適合されている。この配置において、ＧＰＳ整合回路は、約１５７５ＭＨｚにおいてインピーダンスを調整することによって、無線装置におけるＧＰＳ回路に通信アンテナをより厳密に整合させ、それによって、アンテナ信号のエネルギーのＧＰＳ受信器への最適な転送が確保される。
【０００９】
本発明の上記の特徴および利点、ならびに別の特徴および利点は、添付の図面とともに本発明の以下の詳細な説明を精査することによって、理解されるであろう。図面において、類似の参照番号は、類似の部分を参照する。
【発明を実施するための最良の形態】
【００１０】
図１は、本発明による無線通信装置１００を含む無線通信システムの例示的な実施形態を示す。無線通信装置１００は、例えば、無線ハンドセット、車載電話、コードレス電話、ラプトップコンピュータ、無線モデムを有する別の計算装置、携帯電話、または無線通信の性能を有するパーソナルデジタルアシスタント（ＰＤＡ）であり得る。さらに、無線通信装置１００は、デジタル技術およびアナログ技術の一方または組み合わせたものを用い得る。従って、以下の説明は、本明細書に記載のシステムおよび方法を、ある特定のタイプの無線通信装置に限定するものとしてとらえるべきではない。
【００１１】
無線通信装置１００は、アンテナ１１０を含む。アンテナ１１０は、無線通信信号を送受信するように構成されている。図１において、アンテナ１１０は、基地局１２０と双方向通信をする。基地局１２０は、例えば、無線通信ネットワーク内における複数の基地局１２０のうちの１つであり得る。アンテナ１１０は、１つ以上のＧＰＳ衛星（例えばＧＰＳ衛星１３０）と少なくとも片方向の通信をする。ＧＰＳ衛星１３０は、例えば、ＧＰＳ衛星のコンステレーション内の複数のＧＰＳ衛星のうちの１つであり得る。
【００１２】
例示的な実施形態では、無線通信装置１００は、少なくとも２つの異なった通信バンドを用いて無線通信信号を送受信するように適合されたアンテナ１１０を有する無線ハンドセットである。２つのバンドは、例えば、セルラーバンド（約８００ＭＨｚのバンド）と、ＰＣＳバンド（約１９００ＭＨｚのバンド）を含み得る。この例示的な実施形態では、アンテナ１１０は、ＰＣＳおよびセルラーバンドにおいて無線信号を送受信するように構成された従来のデュアルバンドアンテナである。既知のアンテナと、それに関連した回路を適切に選択することによって、さらに多くの通信バンドが、またはより少ない通信バンドが適用され得るということは、理解されるであろう。例えば、無線通信装置１００は、ＰＣＳバンドのみを用いるように構成され得るか、または３つ以上の通信バンドにおいて送受信するように構成され得る。全世界において多くの通信バンドが用いられることは理解されるであろう。また、本明細書において記載するシステムおよび方法は、特定の通信バンドまたは特定の通信バンドのセットに限定されないということは、理解されるであろう。
【００１３】
アンテナ１１０は、従来のアンテナ（例えば、標準的なデュアルバンドアンテナ）であり得る。しかし、無線通信装置１００上のアンテナ１１０は、位置決め信号（例えば、衛星１３０からのＧＰＳ信号）を確実に受信するように構成されている。従って、ＧＰＳの位置決め性能が、無線通信装置１００に経済的かつ都合よく追加され得る。
【００１４】
図２Ａは、無線通信装置１００において従来の無線通信アンテナ１１０を用いてＧＰＳ信号を受信する回路を示す。無線通信装置１００は、例えば、アンテナ１１０と、ダイプレクサ１４０と、第１のバンド（例えばセルラーバンド）のデュプレクサ１５０と、第２のバンド（例えばＰＣＳバンド）のデュプレクサ１６０と、ＧＰＳ切替モジュール１７０と、ＧＰＳモジュール１７５とを含み得る。ダイプレクサ１４０の代わりとして、二方向スイッチ（図９に示されるようなスイッチ）が用いられ得る。図２Ａに示されるように、切替モジュール１７０は、例えば、スイッチ１６５を含み得る。ＧＰＳモジュール１７５は、例えば、ＧＰＳ低ノイズ増幅器（ＬＮＡ）１９０に結合されたインピーダンス整合モジュール１８０を含み得る。図２Ａに示された回路が、説明のためだけであり、動作する無線通信装置１００を構成するためには周知の回路を追加する必要がある、ということは理解されるであろう。
【００１５】
図２Ａに示されるように、アンテナ１１０は、ダイプレクサ１４０に結合されている。ダイプレクサ１４０は、第１のバンド用デュプレクサ１５０に結合されている。ダイプレクサ１４０は、切替モジュール１７０に結合されている。順に、切替モジュール１７０は、第２のバンド用デュプレクサ１６０に結合されている。切替モジュール１７０は、ＧＰＳモジュール１７５に結合されている。例示的な実施形態では、切替モジュール１７０は、ＧＰＳモジュール１７５内のインピーダンス整合モジュール１８０に結合されており、つまり、ＧＰＳ  ＬＮＡ１９０に結合されている。
【００１６】
図示していないが、再度、無線通信装置１００に追加要素が含まれ得る。例えば、ＧＰＳ信号プロセッサがＧＰＳ  ＬＮＡ１９０に結合され得る。別の例では、送信器および／または受信器は、デュプレクサ１５０および１６０に結合され得る。そのような追加要素は周知であり、本明細書では詳細には説明しない。
【００１７】
通常、ダイプレクサを用いることによって、特定の１つまたは複数の通信バンドに応答して通信信号を方向づける。例えば、ダイプレクサ１４０は、アンテナ１１０において受信した信号をＰＣＳ用パスまたはセルラー用パスに分ける。図３Ａは、例示的なダイプレクサ１４０に対する例示的な複合の周波数応答２００を示す。周波数応答２００は、ダイプレクサ１４０に含まれるローパスフィルタのローパスフィルタ特性２１０と、ダイプレクサ１４０に含まれるハイパスフィルタのハイパスフィルタ特性２２０とを含む。ローパスフィルタ特性２１０は、約１０００ＭＨｚのカットオフ周波数を有するように示されており、セルラーバンドを通すように設計されている。ハイパスフィルタ特性２２０は、約１６００ＭＨｚのカットオフ周波数を有するように示されており、ＰＣＳバンドを通すように設計されている。特定の用途を提供するようにカットオフ周波数が調節され得るということと、別のカットオフ周波数が別の通信バンド用に選択され得るということとは、理解されるであろう。ハイパスフィルタ特性２２０は、ある許容レベルの減衰で、ＧＰＳバンドの信号を通すように設計され得る。
【００１８】
動作中では、複数の無線通信バンド（例えば、セルラーバンドおよびＰＣＳバンド）における無線通信信号は、アンテナ１１０によって受信される。ダイプレクサ１４０は、無線通信信号を第１の信号と第２の信号とに分割する。第１の信号は、ダイプレクサ１４０のローパスフィルタによってフィルタリングされ、第１のバンド用デュプレクサ１５０に結合されている。第２の信号は、ダイプレクサ１４０のハイパスフィルタによってフィルタリングされ、切替モジュール１７０に結合されている。第１のバンド用デュプレクサ１５０は、例えば、セルラー受信器（図示せず）に第１の信号を結合するように構成され得る。さらに、ローパスフィルタは、第１のバンド用デュプレクサ１５０へと高周波数バンドの信号が通るのをブロックする。ダイプレクサ１４０のハイパスフィルタは、切替モジュール１７０を介して、第２の信号を第２のバンド用デュプレクサ１６０に通す。
【００１９】
複数の受信した無線通信信号が、例えば、ＧＰＳバンドの信号を含む場合、ハイパスフィルタは、切替モジュール１７０を介して、少ない減衰でＧＰＳバンドの信号をＧＰＳモジュール１７５に通す。従来のアンテナ１１０を用いると、減衰が生じる。それは、一部には、アンテナ１１０がＧＰＳバンドに最適でないためである。ＧＰＳモジュール１７５では、インピーダンス整合モジュール１８０が、ＧＰＳバンドにチューンされたインピーダンス整合を提供する。切替モジュール１７０から受信したＧＰＳ信号は、従来のＧＰＳ回路（図示せず）によって処理される前に、ＧＰＳ  ＬＮＡ１９０によって増幅され得る。
【００２０】
ダイプレクサ１４０のハイパスフィルタは、低周波数バンドの信号をブロックする。無線通信装置１００は、一例示的な実施形態では、ダイプレクサ１４０をデュプレクサ１６０に結合する切替モジュール１７０で動作する。ある選択された時刻または間隔において、位置情報を得ることは、望ましくあり得る。例えば、ユーザーが緊急電話番号をダイヤルする場合において、位置情報は有用であり得る。無線通信装置１００は、周期的に位置決めする必要があるマッピング用途などの用途を実行し得る。別の例では、ユーザーは、無線通信装置１００に位置情報を得るように指示し得る。位置情報が有用な無線通信装置１００に対して多くの用途が存在することは、理解されるであろう。
【００２１】
位置情報が必要とされると、制御回路（図示せず）によって切替モジュール１７０を切り替えることによって、アンテナ１１０がＧＰＳモジュール１７５に結合され得る。このように構成さると、約１５７５ＭＨｚにおけるＧＰＳバンドの信号は、アンテナ１１０によって受信され得、ＧＰＳモジュール１７５に送信され得る。アンテナ１１０は、例えば約８００ＭＨｚおよび約１９００ＭＨｚにおいて信号を受信するように調整されたデュアルバンドアンテナであり得るために、約１５７５ＭＨｚのＧＰＳ信号は、整合されない。従って、整合モジュール１８０は、ＧＰＳ信号を受信したときにおいて、ＧＰＳモジュール１７５とアンテナ１１０とのインピーダンスをさらに厳密に整合する整合回路を含む。その結果、高品質のＧＰＳ信号が受信され得、ＧＰＳ  ＬＮＡ１９０へと送られ得る。
【００２２】
別の例示的な実施形態では、ダイプレクサ１４０における複合の周波数応答２００は、より少ない減衰で、ＧＰＳバンドを通すように適合され得る。従って、ハイパスフィルタ特性２２０は、図３Ａにおいて適合された特性２３０によって示されるように、例えば約１６００ＭＨｚから例えば約１４００ＭＨｚへとカットオフ周波数を変化させることによって、修正され得る。適合された特性２３０は、例えば異なった減衰勾配２３５などの別の異なるパラメータを有し得る。その結果、ＧＰＳバンドの減衰は、ハイパスフィルタ特性２２０よりも、適合されたハイパスフィルタ特性２３０による方がかなり少ない。具体的には、例えば、カットオフ周波数を約１６００ＭＨｚ（通常のセルラー／ＰＣＳダイプレクサにおけるカットオフ周波数）から約１４００ＭＨｚに下げることによって、約１５７５ＭＨｚにおけるＧＰＳバンドのダイプレクサ１４０による減衰は、小さくなる（例えば、約−１．３ｄＢから約−０．３ｄＢへと減衰が変化し得る）。
【００２３】
図２Ｂは、従来のアンテナ１１０を用いてＧＰＳ信号を受信するように構成された無線通信装置１００の別の例示的な実施形態の例示的な要素を示す。その要素は、ダイプレクサ１４０が、アンテナ１１０によって受信された信号をＰＣＳ用パスとセルラー／ＧＰＳ用パスとに分けるという点を除いて、図２Ａに示されたものと類似の態様で構成される。従って、切替モジュール１７０は、セルラー／ＧＰＳ用パス上にある。ダイプレクサ１４０の周波数応答２２０の別の例が、図３Ｂに示されている。この例では、ダイプレクサ１４０のローパスフィルタのローパスフィルタ特性２１０は、約１５７５ＭＨｚおけるＧＰＳバンドを含むように高周波数にまで延びる。従って、ダイプレクサ１４０のローパスフィルタは、セルラー／ＧＰＳ用パスへと、ＧＰＳバンドの信号を通すか、または、わずかな減衰でＧＰＳバンドの信号を通す。
【００２４】
図４は、本明細書において説明するシステムおよび方法による無線通信装置１００の別の例示的な実施形態の例示的な要素を示す。図４の例示的な実施形態では、無線通信装置１００は、アンテナ１１０と、第１のバンド用デュプレクサ１５０と、第２のデュプレクサ１６０と、ＧＰＳモジュール１７５と、トリプレクサ２４０とを含み得る。トリプレクサ２４０は、第１のバンド用デュプレクサ１５０と、第２のバンド用デュプレクサ１６０と、ＧＰＳモジュール１７５とにアンテナ１１０を結合する。
【００２５】
トリプレクサ２４０の例示的な周波数応答２００は、ローパスフィルタのローパスフィルタ特性２１０と、ハイパスフィルタのハイパスフィルタ特性２２０と、バンドパスフィルタのバンドパスフィルタ特性２５０とを含む図５に示されており、それらはすべてトリプレクサ２４０に含まれる。ローパスフィルタ特性２１０は、例えば約１０００ＭＨｚのカットオフ周波数で示されており、例えばセルラーバンドを通すよう設計されている。ハイパスフィルタ特性２２０は、例えば約１６００ＭＨｚのカットオフ周波数で示されており、例えばＰＣＳバンドを通すように設計されている。バンドパスフィルタ特性２５０は、例えば、約１５７５ＭＨｚが中心であり、例えばＧＰＳバンドを通すように設計されている。インプリメンテーションに応じて、特性２１０と、２２０と、２５０とは、重なり合い得る。さらに、特定のインプリメンテーションによって所望されるように、これらおよび別の無線通信バンド用に設計された別のフィルタ特性は、トリプレクサ２４０内に含まれ得る。
【００２６】
動作中では、無線通信信号は、アンテナ１１０によって受信される。トリプレクサ２４０は、受信した無線通信信号を第１の信号と、第２の信号と、第３の信号とに分ける。無線通信信号が、例えばセルラーバンド用通信信号を含む場合には、トリプレクサ２４０のローパスフィルタは、第１のバンド用デュプレクサ１５０にセルラーバンドの通信信号を通す。さらに、ローパスフィルタは、高周波数のバンドの信号が第１のバンド用デュプレクサ１５０に通すのをブロックするように構成され得る。無線通信信号が、例えばＰＣＳバンドの通信信号を含む場合には、ハイパスフィルタは、ＰＣＳバンドの通信信号を第２のバンド用デュプレクサ１６０に通す。さらに、ハイパスフィルタは、低周波数のバンドが第２のバンド用デュプレクサ１６０に通すのをブロックするように構成され得る。無線通信信号が、例えばＧＰＳバンド信号を含む場合、バンドパスフィルタは、ＧＰＳバンド信号をＧＰＳモジュール１７５に通す。
【００２７】
ＧＰＳモジュール１７５は、受信したＧＰＳ信号を整合するように構成されたインピーダンス整合モジュール１８０を含み得る。ＧＰＳ信号は、従来のＧＰＳ回路（図示せず）によって処理される前に、ＧＰＳ  ＬＮＡ１９０によって増幅される。さらに、バンドパスフィルタは、高周波数のバンドおよび低周波数のバンドがＧＰＳモジュール１７５に通すのをブロックするように構成され得る。
【００２８】
図８は、トリプレクサ２４０の代わりに切替モジュール２６０が用いられる無線通信装置１００の別の例示的な実施形態を示す。この例示的な実施形態では、アンテナ１１０は、切替モジュール２６０を介して、第１のバンド用デュプレクサ１５０と、第２のバンド用デュプレクサ１６０と、ＧＰＳモジュール１７５とに結合されている。切替モジュール２６０は、例えば、三方向スイッチ２７０を含み得る。切替モジュール２６０は、無線通信装置１００のメインコントローラ（例えばプロセッサ（例えば移動局モデム（ＭＳＭ））、図示せず）を介して制御され得る。
【００２９】
従って、例えば、セルラーバンドの信号は、切替モジュール２６０によって第１のバンド用デュプレクサ１５０に切り替えられ得、ＰＣＳバンドの信号は、第２のバンド用デュプレクサ１６０に切り替えられ得、ＧＰＳ信号は、ＧＰＳモジュール１７５に切り替えられ得る。セルラー通信用回路およびＰＣＳ通信用回路は、例えば、それぞれのバンドにおいて用いられるバンド最適化された信号整合回路を含み得る。
【００３０】
図９は、本明細書において説明するシステムおよび方法によって構成された無線通信装置１００のさらに別の例示的な実施形態を示す。この例示的な実施形態では、無線通信装置１００は、ＧＰＳ信号または通信バンドの信号（例えば、セルラーバンドの信号またはＰＣＳバンドの信号）を受信するように構成されている。アンテナ１１０は、切替モジュール２６０を介してＧＰＳモジュール１７５および通信バンド用デュプレクサ２９０とに結合されている。切替モジュール２６０は、例えば２方向のスイッチ２８０を含み得る。切替モジュール２６０は、無線通信装置１００のメインコントローラ（例えばプロセッサ（例えばＭＳＭ）、図示せず）を介して、制御され得る。切替モジュール２６０は、アンテナ１１０を介して受信された信号を適切な出力に切り替える。従って、例えば、受信されたセルラーバンドの信号は、通信バンド用デュプレクサ２９０に切り替えられ得る。もしくは、ＧＰＳ信号は、ＧＰＳモジュール１７５へと切り替えられ得る。通信バンド用回路は、例えば、通信バンドとともに用いられるバンド最適化された信号整合回路を含み得る。
【００３１】
整合モジュール１８０または別の整合回路は、広範な種類の回路を用いてインプリメントされ得る、ということは理解されるであろう。図６は、そのような整合回路のインプリメンテーションのうちの１つを示す。図６では、整合モジュール１８０への入力部は、第１のインダクタＬ１に結合されている。インダクタＬ１は、第２のインダクタＬ２を介して整合モジュール１８０の出力部に結合されている。インダクタＬ１は、コンデンサＣ１を介して電位Ｖ１（電気的グランド電位またはシャーシのグランド電位）に結合されている。そのような整合回路は、当該分野では周知である。整合モジュール１８０は、別のタイプの整合回路およびそのデュアルバンドの均等物を含み得る。そのような整合回路は、例えば受動素子を含み得る。
【００３２】
切替モジュール１７０がいくつかの回路構成においてインプリメントされ得る、ということは理解されるであろう。図７は、本明細書において説明されるシステムおよび方法による切替モジュール１７０の上記配置のうちの１つを示す。切替モジュール１７０への入力部は、第１のコンデンサＣ２に結合されている。コンデンサＣ２は、第１のインダクタＬ３を介して、電位Ｖ２（例えばバッテリ供給電圧）に結合されている。コンデンサＣ２は、２つの出力枝（ｂｒａｎｃｈ）に結合されている。第１の出力枝では、コンデンサＣ２は、第１のダイオードＤ１に結合されている。ダイオードＤ１は、第２のコンデンサＣ３を介して第１の出力枝に結合されている。ダイオードＤ１は、第２のインダクタＬ４を介して第１の制御信号に結合されている。回路の第２の枝では、コンデンサＣ２は、第２のダイオードＤ２に結合されている。ダイオードＤ２は、第３のコンデンサＣ４を介して第２の出力枝に結合されている。ダイオードＤ２は、第３のインダクタＬ５を介して第２の制御信号に結合されている。
【００３３】
簡略すると、第１の制御信号と第２の制御信号とによって、ダイオードＤ１およびダイオードＤ２に所望の電位差が提供され、それによって、ダイオードＤ１およびＤ２がオン（換言すると、ほとんど短絡した状態）またはオフ（換言すると、ほとんど開状態）のいずれかになる。切替モジュール１７０には、別の変更および切替回路の実例が含まれ得る。
【００３４】
再度図４を参照すると、アンテナ１１０によって受信された１つ以上の信号の受信パスにおける要素の数は、トリプレクサ２４０を用いることによって低減される、ということは理解されるであろう。これは、トリプレクサ２４０を用いることによって、スイッチ（例えば、切替モジュール１７０）の必要性がなくなるためである。要素の数を減らすことによって、回路基板面積への要求と、無線通信装置１００の材料コストの請求額とが、低減される。切替モジュール１７０を除去することによって、受信パスの挿入による損失が低減され、そのことは、無線通信装置１００の感度および性能を向上させる。
【００３５】
無線通信装置１００においてトリプレクサ２４０をインプリメントする１つの方法が、図１０に示されている。ここでは、アンテナ１１０は、従来のダイプレクサ（例えば、ダイプレクサ１４０）に結合されている。しかし、さらに、アンテナ１１０は、ＧＰＳバンドの信号に対するバンドパスフィルタとしての機能を果たすように構成されたフィルタ３００に結合されている。すなわち、図５を参照すると、図１０のダイプレクサ１４０は、ローパスフィルタ特性２１０とハイパスフィルタ特性２２０を示すように構成され得る。その一方で、フィルタ３００は、バンドパスフィルタ特性２５０を示すように構成され得る。
【００３６】
従来では、インダクタ・コンデンサ要素（Ｌ／Ｃ）用いることによって、所望の特性を有するフィルタを構成してきた（例えば図６に示されている）。従って、フィルタ３００は、バンドパスフィルタの特性２５０を提供するように設計されたＬ／Ｃフィルタを含み得る。もしくは、そのようなフィルタは、表面音波（ＳＡＷ）装置を用いてインプリメントされ得る。ＳＡＷ装置では、電気信号は、装置の表面を伝わり、再び電気信号に変換される、力学的な波に変換される。従って、フィルタ３００は、ＳＡＷフィルタを含み得る。同様に、ダイプレクサ１４０は、Ｌ／ＣフィルタまたはＳＡＷフィルタから構成され得る。
【００３７】
従って、図１１に示されるように、トリプレクサ２４０は、３つの異なった周波数バンドにおいて動作する３つのフィルタを備えるものとして記述され得る。図１１から分かるように、トリプレクサ２４０は、高周波数バンド（例えば、ＰＣＳバンド）において動作するように構成されたフィルタ３２０を含み得る。フィルタ３２０は、ＰＣＳバンド用デュプレクサ３５０に結合され得る。トリプレクサ２４０は、中間周波数バンド（例えばＧＰＳ周波数バンド）において動作するように構成されたフィルタ３３０を備え得る。従って、フィルタ３３０は、ＧＰＳ受信器回路３６０に結合され得る。トリプレクサ２４０は、低周波数バンド（例えばセルラーバンド）において動作するように構成されたフィルタ３４０を備え得る。従って、フィルタ３４０は、セルラーバンド用デュプレクサ３７０に結合され得る。
【００３８】
また、トリプレクサ２４０は、ＰＣＳ、ＧＰＳ、およびセルラー周波数バンドに加えて、別の周波数バンドにおいて動作するように構成され得る、ということに留意されたい。さらに、特定の周波数バンド（例えば、ＰＣＳバンドおよびセルラーバンド）にカバーされた周波数は、動作する国または大陸によって変わり得る。従って、トリプレクサ２４０は、高周波数フィルタ３２０および中間周波数フィルタ３３０および低周波数フィルタ３４０とを含むものとして記述され得る。
【００３９】
回路基板面積の視点からは、フィルタ３２０、３３０、および３４０は、Ｌ／Ｃを用いて構成されるのが望ましくあり得る。しかし、Ｌ／Ｃでは、別の周波数バンドの信号の十分な分離、または除去が提供されなくあり得る。例えば、アメリカ合衆国では、ＰＣＳ送信バンドは、高い１８００ＭＨｚ領域にある。ＧＰＳ受信バンドは、約１５７５ＭＨｚにあり、セルラー受信バンドは、８００ＭＨｚ領域にある。セルラー受信バンドは、ＰＣＳおよびＧＰＳ受信バンドと周波数の点では十分に離れており、分離は大きな問題ではない。しかし、ＰＣＳおよびＧＰＳ受信バンドが比較的近く、それにより、分離がより関連した問題である。十分な分離がないと、受信したＧＰＳ信号におけるエネルギーの一部が、ＰＣＳフィルタ３２０を介してシャントされ得、ＰＣＳおよびＧＰＳ受信器の感度を悪くする。逆に、受信したＰＣＳ信号の一部は、ＧＰＳフィルタ３３０を介してシャントされ得、両受信器の感度を悪くする。従って、フィルタ３２０と３３０とにＬ／Ｃを用いる場合には、結果のクオリティ係数（Ｑ値）が、２つの受信器間に適切な分離を提供するに十分高いことを確保することが重要である。
【００４０】
この点について、通常ＳＡＷフィルタがより高いＱを有しかつよりよい分離を提供するために、フィルタ３２０および３３０の一方または両方に対して、ＳＡＷフィルタを用いることが、実際には好ましくあり得る。しかし、ＳＡＷフィルタは、シンプルなＬ／Ｃフィルタ要素に比べて比較的大きい。従って、特定の各インプリメンテーションに対して、フィルタ３２０、３３０、および３４０の各々に対してＬ／ＣまたはＳＡＷのいずれを用いるかの決定に、回路基板の面積および分離とを、トレードオフする必要がある。例えば、ＧＰＳフィルタ３３０とＰＣＳフィルタ３２０との間の分離の必要性が大きいために、ＳＡＷフィルタはフィルタ３３０に用いられ得る。しかし、セルラーバンドはＰＣＳバンドおよびＧＰＳバンドから十分に離れているために、より低いＱのＬ／Ｃフィルタがフィルタ３４０に用いられ得る。用途によって、フィルタ３２０にＳＡＷフィルタまたはＬ／Ｃフィルタが用いられ得る。従って、トレードオフと特定のインプリメンテーションに対する要求に依存して、フィルタ３２０、３３０、および３４０のうちの１つ以上が、Ｌ／Ｃフィルタであり得、１つ以上がＳＡＷフィルタであり得る。
【００４１】
しかし、好適には、フィルタ３２０、３３０および３４０の設計において、大きさ対分離のトレードオフの必要性はない。幸いにも、Ｆｉｌｍ  Ｂｕｌｋ  Ａｃｏｕｓｔｉｃ  Ｒｅｓｏｎａｔｏｒ（ＦＢＡＲ）と称される新たな装置を用いることによって、非常に小さなフットプリントの高Ｑのフィルタが得られうる。ＳＡＷ装置と同様に、ＦＢＡＲ装置は、フィルタ材料を介して共振しかつ電気信号を適切な出力において再変換される力学的な波に、電気信号を変換する。しかし、ＳＡＷフィルタとは異なり、力学的な波は、表面のみだけではなく、材料の本体を介して伝播する。これによって、７．５ＧＨｚもの高周波数において、優れた電力処理および動作が可能になる。さらに、ＦＢＡＲ装置は、非常に小さく作成され得る。
【００４２】
従って、トリプレクサ２４０の一実施形態では、各フィルタ３２０、３３０、および３４０がＦＢＡＲフィルタである。別の実施形態では、特定のインプリメンテーションの要求に応じて、フィルタ３２０、３３０および３４０の全てではないいくつかがＦＢＡＲフィルタであり得る。
【００４３】
従って、トリプレクサ２４０によって、単一のアンテナ１１０を３つの異なった周波数バンドに用いることが可能になり、それによって、例えば別個のＧＰＳアンテナの必要性がなくなる。余分なアンテナをなくすことによって、無線通信装置１００のコストが低減され、無線通信装置１００に第２のアンテナを含めることの表面的な不利な点および実用上の不利な点がなくなる。さらに、ダイプレクサ１４０と１つ以上の切替モジュール１７０とに対して、トリプレクサ２４０を用いることによって、コストが低減され、必要な回路基板の面積が減り、無線通信装置１００に含まれる１つ以上の受信器の挿入の損失が低減される。さらに、ＦＢＡＲ材料を用いることによって、非常に高いＱのフィルタ装置を提供しながら、トリプレクサ２４０を備えるフィルタ３２０、３３０および３４０の密な集積が可能になる。
【００４４】
別の実施形態では、デュプレクサ３５０と３７０（図１１を参照）がフィルタ３２０、３３０および３４０と一体化されることによって、Ｎプレクサと称され得るものが形成される。そのようなＮプレクサ４０４は、図１２に示されており、それは、無線通信装置４００の例示的な要素を示す論理ブロック図である。無線通信装置４００は、複数の通信バンドの信号を送受信するように構成されたアンテナ４０２を備える。アンテナ４０２は、複数のフィルタ４０６〜４１４を備えるＮプレクサ４０４に結合されている。
【００４５】
例えば、アンテナ４０２は、ＰＣＳおよびセルラー信号を送受信するように構成され得る。すなわち、装置４００は、デュアルバンド動作用に構成され得る。無線通信装置４００は、ＧＰＳ動作用に構成され得、その場合には、フィルタ４０６〜４１４が３つの通信ポートに分類され得る。１つの通信ポート４２８は、ＰＣＳ通信ポートとして構成され得、フィルタ４０６および４０８を備え得る。フィルタ４０６は、無線通信装置４００に含まれるＰＣＳ送受信器（図示せず）から送信信号ライン４１６を介して、ＰＣＳ送信信号を受信するように構成され得る。ＰＣＳ送信信号は、送信用にアンテナ４０２へと送信される。その一方、フィルタ４０８は、アンテナ４０２からＰＣＳ受信信号を受信するようにかつ、受信信号ライン４１８を介して、ＰＣＳ送受信機（図示せず）へと信号を送信するように構成され得る。
【００４６】
フィルタ４０６および４０８は、それぞれ、ＰＣＳ送信バンド幅内および受信バンド幅内の信号を通過させるバンドパスフィルタとして構成され得る。さらに、フィルタ４０６および４０８は、ＰＣＳ送信パス４１６と受信パス４１８との分離を提供するように構成され得、従って、それらは互いに干渉せず、別の通信バンド（例えばＧＰＳおよびセルラーバンド）の信号から分離されている。
【００４７】
同様に、セルラー通信ポート４３０は、フィルタ４１２および４１４を含み得る。従って、フィルタ４１２および４１４は、それぞれ信号パス４２４および４２６を介して、アンテナ４０２とセルラー送受信器（図示せず）との間において、それぞれ送信セルラー信号および受信セルラー信号とを通過させるように構成され得る。さらに、フィルタ４１２および４１４は、送信セルラーバンド幅および受信セルラーバンド幅の外側の信号に対する分離を提供するように構成され得る。
【００４８】
フィルタ４１０は、アンテナ４０２によって受信されたＧＰＳ受信信号を、受信信号パス４２０を介してＧＰＳ受信回路４２２へと通過させるように構成され得る。フィルタ４１０は、ＧＰＳ受信バンド幅の外側の信号からの分離を提供するように構成され得る。
【００４９】
従って、Ｎプレクサ４０４は、トリプレクサ２４０とデュプレクサ３５０および３７０との組み合わせたものに取って代わるように構成され得る。このことは、必要な要素数を低減するのみならず、種々の送信信号パスおよび受信信号パスに対する挿入の損失を低減する。当然、Ｎプレクサ４０４は、別の通信バンド用に構成され得る。さらに、特定の無線通信装置４００の必要に応じて、第４、第５などの信号ポートがＮプレクサ４０４に加えられ得る。従って、Ｎプレクサ４０４は、特定数の通信ポートに、または特定の通信バンドを含むインプリメンテーションに限定されるものとみなすべきではない。
【００５０】
トリプレクサ２４０に関して説明したように、フィルタ４０６〜４１４は、特定の用途の必要に応じて、Ｌ／ＣまたはＳＡＷ装置を含み得る。回路基板の面積の観点から、Ｌ／ＣはＳＡＷ装置よりも好ましくあり得るが、ＳＡＷ装置の方が、通常、より大きな分離とより高いＱを提供する。しかし、好ましくは、フィルタ装置４０６〜４１４の各々に対して、ＦＢＡＲ装置が用いられる。その理由は、ＦＢＡＲが高分離と、高いＱと、小さなフットプリントとを提供し、それはＮプレクサ４０４のインプリメントを容易にするのみならず、必要に応じてＮプレクサ４０４への追加の通信ポートの追加を容易にするためである。
【００５１】
図１３には、例えばデュアルバンドの通信およびＧＰＳ動作用に構成された、無線通信装置５００内のＮプレクサ５０４を含むことによって、アンテナ５０２と受信回路５１２、５１４、および５１６との間の要素の数が低減される、ということが分かり得る。従って、要素の数および挿入の損失が低減される。さらに、Ｎプレクサ５０４がＦＢＡＲ材料から構成される場合には、全体の回路基板の面積への要求も低減され得る。
【００５２】
図１３には、Ｎプレクサ５０４に含まれる３つの通信ポートに対する受信パス５０６、５０８、および５１０が示されている。従って、受信パス５０６はＰＣＳ受信パスであり得、受信パス５０８はＧＰＳ受信パスであり得、受信パス５１０はセルラー用受信パスであり得る。次いで、受信パス５０６は、無線通信装置５００に含まれるＰＣＳ受信器の一部を構成する増幅器５１２に結合されている。同様に、受信パス５０８および５１０は、増幅器５１４および５１６に結合され、それぞれ、無線通信装置５００に含まれるＧＰＳ受信器の一部およびセルラー受信器の一部を構成する。
【００５３】
増幅器５１２、５１４、および５１６は、通常ＬＮＡである。ＬＮＡは、無線周波数（ＲＦ）受信器の主要な要素である。その理由は、それらが受信した信号（通常、非常に低電力レベルの信号）を受け取り、低電力の受信信号をマスクまたはひずませ得る追加のノイズを加えることなしに、その信号をさらなる処理に十分なレベルに増幅するためである。従来型の無線通信装置では、各受信パスは、特定の受信パスに関連した周波数バンドにわたって最適な性能を示すように構成された対応するＬＮＡを有する。しかし、ダイプレクサ、スイッチ、およびデュプレクサは単一の装置５０４へと低減され得るので、２つ以上の受信パス用の単一のＬＮＡを用いることができること（特に、受信パスに関連する通信バンドが近い場合（例えばＰＣＳバンドとＧＰＳバンド））は、有利である。
【００５４】
従来型のＬＮＡに対して最適な雑音指数（ＮＦ）を得るために、多くの場合、約９０オームの終端インピーダンスを提供することが最適である。あいにく、ＬＮＡとインターフェースをとる大抵のフィルタ装置の出力は、５０オームである。これには、従来型のダイプレクサおよびデュプレクサ、ならびにトリプレクサ２４０およびＮプレクサ５０４の大抵の実施形態が含まれる。９０オームのインピーダンスの代わりに５０オームのインピーダンスと提供することによって、ＬＮＡの入力のＱが下がり、ＬＮＡパスバンドが広がる。これは、図１４にグラフ化された曲線を用いて示され得る。図１４において、曲線６３０は、入力インピーダンスが９０オームである場合におけるＬＮＡのゲイン曲線を示す。従って、デシベル（ｄＢ）単位のゲインが、ヘルツ（Ｈｚ）単位の周波数に対して示されている。図１４の例では、ＬＮＡが約１．５ＧＨｚが中心の比較的狭いパスバンドを有する、ということが分かる。曲線６３２は、対応するＮＦをグラフ表示し、それは、パスバンドにわたって比較的優れている。
【００５５】
しかし、５０オームの入力インピーダンスを用いる場合には、ゲイン曲線６３６およびＮＦ６３４が得られる。図に示すように、曲線６３６に対するパスバンドが広がるが、パスバンドにわたるゲインは低減される。ＮＦ６３４は、パスバンドにわたって幾分低下される。幸いなことに、より低いゲインと、低下したＮＦとを考慮に入れる場合でさえ、単一のＬＮＡを１つ以上の受信パスに用いることを可能にするために（特に、関連した受信バンド幅が比較的近い場合において）、より広いパスバンドが利用され得る。
【００５６】
例えば、図１５では、ＰＣＳ受信パス７０６とＧＰＳ受信パス７０８とが、無線通信装置７００において、単一のＬＮＡ７１４を備えた単一の受信信号パス７１０にわたって、結合されている。先に説明したように、信号パス７１０のインピーダンスは５０オームである。無線通信装置７００は、例えば、ＬＮＡ７１６とのインターフェースのセルラー用受信パス７１２を備え得る。例えば、受信パス７０６、７０８、および７１２の各々は、Ｎプレクサ７０４の対応する通信ポートの一部を構成し得、そのＮプレクサはアンテナ７０２とインターフェースがとられる。
【００５７】
信号パス７１０のインピーダンスは５０オームであり得るので、ＬＮＡ７１４に対して、例えばＧＰＳ受信バンドおよびＰＣＳ受信バンドの両バンドにおいて用いるに十分広くあり得る広いパスバンドが得られうる。従って、例えばシンプルに５０オームの終端を用いることによって、ＬＮＡ７１４は、ＰＣＳ信号およびＧＰＳ信号の両信号における２つの用途用に構成され得る。さらに、例えばＮプレクサ７０４を用いて挿入の損失を減らすことによって、各受信バンドにおけるゲインの損失および低下したＮＦは、バランスがとられ得る。従って、中心がＰＣＳ受信バンドにあるパスバンドを有するＬＮＡ７１４は、ＰＣＳ信号およびＧＰＳ信号の両信号用に用いられ得る。もしくは、中心がＧＰＳ受信バンドにあるパスバンドを有するＬＮＡ７１４が両信号用に用いられ得、または、ＧＰＳ受信バンドとＰＣＳ受信バンドとの間のどこかにおけるパスバンドを有するか、もしくはどちらかに近いパスバンドを有するＬＮＡ７１４が用いられ得る。
【００５８】
単一のＬＮＡを再使用することは、２つの受信パスのみ用にＬＮＡを再使用することに限定されない。例えば、中心が１．５ＧＨｚであり、図１４の曲線６３４に示されるようなパスバンドを有するＬＮＡは、ＰＣＳ信号、ＧＰＳ信号、およびセルラー用信号に用いられうる。従って、図１６に示されるように、無線通信装置８００は、複数の通信バンドにおける信号を送受信するように構成されたアンテナ８０２と、複数の通信ポートを備えたＮプレクサ８０４と、２つ以上の通信バンド用の受信信号を増幅するように構成された単一のＬＮＡ８０６とを備え得る。
【００５９】
例えば、アンテナ８０２がＰＣＳ、ＧＰＳ、およびセルラー用信号を受信するように構成されている場合には、Ｎプレクサ８０４は、ＰＣＳ、ＧＰＳ、およびセルラー用通信ポートを備え得る。ＬＮＡ８０６は、受信したＰＣＳ、ＧＰＳおよびセルラー用信号を増幅するために用いられ得る。さらに、Ｎプレクサ８０４が用いられ、それが挿入の損失を低減するために、単一のＬＮＡ８０６を用いることに起因するより低いゲインと低下したＮＦとは、バランスがとられ得る。ＬＮＡ８０６のパスバンドの中心は、必要に応じて、特定のバンドに対してゲインを大きくするように調節され得る（例えば、特定の用途による必要に応じて、中心周波数は大きなゲインを得るためにシフトダウンされ得る）。
【００６０】
無線通信装置８００は、イメージ除去（ｉｍａｇｅ  ｒｅｊｅｃｔｉｏｎ）フィルタ８０８を含み得る。従来の受信器では、イメージ除去フィルタは、通常ＬＮＡに付随する。特に、ノイズ応答が受信された信号の適切な受信と干渉しないように、イメージバンドにおけるノイズおよび応答を低減するようにイメージ除去フィルタが構成される。従って、複数の通信バンドにおける信号を受信するように構成された無線通信装置において、ディスクリートなイメージ除去フィルタが各通信バンドに必要とされる。しかし、要素の数を減らすために、無線通信装置８００によって受信される各通信バンド用の信号をフィルタリングするように、単一のイメージ除去フィルタ８０８が構成され得る。
【００６１】
従って、例えば、イメージ除去フィルタ８０８は、３つの信号ポート（１つはＰＣＳ信号をフィルタリングするように構成されており、１つはＧＰＳ信号をフィルタリングするように構成されており、１つはセルラー用信号をフィルタリングするように構成されている、ポート）を備え得る。好適には、各信号ポートは、ＦＢＡＲフィルタ装置を備えるが、Ｎプレクサ８０４の場合と同様に、Ｌ／Ｃおよび／またはＳＡＷ装置を用いて構成されたフィルタを備え得る。
【００６２】
従って、上述したシステムおよび方法をインプリメントすることによって、複数の通信バンドの信号を受信するように構成された無線通信装置８００は、単一のアンテナ８０２と、単一のＮプレクサ８０４と、単一のＬＮＡ８０６と、単一のイメージ除去フィルタ８０８とを備え得る。もしくは、本明細書において記載したシステムおよび方法による、Ｎプレクサ、ＬＮＡ、および／またはイメージ除去フィルタ段における部分的な統合がさらにインプリメントされることによって、要素数、回路基板の面積の要求、およびコストがさらに低減され得る。従って、例えば、デュアルバンドのＧＰＳ利用可能な無線通信装置は、非常に小さくかつ安価に作成され得る。先に言及したように、本明細書において記載したシステムおよび方法は、特定のインプリメンテーションまたは特別な通信バンドにおける使用に限定されない。
【００６３】
本発明の実施形態およびインプリメンテーションについて示し説明してきたが、本発明の範囲内に多くの実施形態およびインプリメンテーションがある、ということは明らかであるべきである。従って、特許請求の範囲およびその均等物を考慮に入れる場合を除いて、本発明は制限されない。
【図面の簡単な説明】
【００６４】
【図１】本発明による無線通信システムの例示的な実施形態を表示するものである。
【図２Ａ】本発明による無線通信装置の例示的な実施形態における選択された要素を示す。
【図２Ｂ】本発明による図２Ａの無線通信装置の別の例示的な実施形態における選択された要素を示す。
【図３Ａ】本発明の例示的な実施形態による図２Ａおよび図２Ｂの無線通信装置に含まれ得るダイプレクサの周波数応答をプロットしたものである。
【図３Ｂ】本発明の別の例示的な実施形態による図３Ａのダイプレクサの周波数応答をプロットしたものである。
【図４】本発明による図２Ａの無線通信装置の別の例示的な実施形態における選択された要素を示す。
【図５】本発明の例示的な実施形態による図４の無線通信装置に含まれ得るトリプレクサの周波数応答をプロットしたものである。
【図６】図２Ａの無線通信装置に含まれ得る従来のマッチングネットワークの一例を示す。
【図７】図２Ａの無線通信装置に含まれ得る従来の切替回路の一例を示す。
【図８】本発明による図２Ａの無線通信装置の別の実施形態における選択された要素を示す。
【図９】本発明による図２Ａの無線通信装置のさらに別の例示的な実施形態における選択された要素を示す。
【図１０】本発明によるトリプレクサを備える無線通信装置の例示的な実施形態における選択された要素を示す。
【図１１】図１０に示された無線通信装置の別の例示的な実施形態における選択された要素を示す。
【図１２】本発明によるＮプレクサを備える無線通信装置の例示的な実施形態における選択された要素を示す。
【図１３】図１２に示された無線通信装置の別の例示的な実施形態における選択された要素を示す。
【図１４】図１３の無線通信装置に含まれ得る増幅器に対するゲインおよび雑音指数のグラフを示す図である。
【図１５】図１２に示された無線通信装置のさらに別の例示的な実施形態における選択された要素を示す。
【図１６】本発明による単一のマルチポートイメージ除去フィルタを備える無線通信装置の例示的な実施形態における選択された要素を示す。
【図１】
2007525857.tif 000003
2007525857.tif 000004
2007525857.tif 000005
【図４】
2007525857.tif 000006
【図５】
2007525857.tif 000007
【図６】
2007525857.tif 000008
【図７】
2007525857.tif 000009
【図８】
2007525857.tif 000010
【図９】
2007525857.tif 000011
【図１０】
2007525857.tif 000012
【図１１】
2007525857.tif 000013
【図１２】
2007525857.tif 000014
【図１３】
2007525857.tif 000015
【図１４】
2007525857.tif 000016
【図１５】
2007525857.tif 000017
【図１６】
2007525857.tif 000018
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
複数の通信バンドに関連した信号を受信する無線通信装置（４００）であって、
アンテナ（４０２）と、
Ｎプレクサ（４０４）であって、
該アンテナ（４０２）に接続された信号ラインと、
複数の通信ポート（４２８、４３０）であって、該複数の通信ポートの各通信ポート（４２８、４３０）は該信号ラインに接続された入力部を有し、該通信ポートの各々は該複数の通信バンドのうちの関連した通信バンドを受信し、各通信ポートは、通信ポート出力部へと該関連した通信バンドの受信信号を通すように、かつ別の通信バンドに関連した受信信号を除去するように構成された受信バンドパスフィルタ（４０８、４１４）を備える、複数の通信ポートと、
ＧＰＳ通信バンドを受信する該信号ラインに接続されたＧＰＳフィルタ（４１０）と
を備える、Ｎプレクサと、
複数の受信器回路（５１２、５１４、５１６）であって、該複数の受信器回路の各受信器回路は、該関連した通信バンドの該通された受信信号を受信するために、各通信ポート（４２８、４３０）の該通信ポート出力部へと接続されている、複数の受信器回路と
を備える、無線通信装置。
【請求項２】
前記複数の通信ポート（４２８、４３０）の少なくとも１つの通信ポートが、前記信号ライン上の前記関連した通信バンドの送信信号を通すように構成された送信バンドパスフィルタ（４０６、４１２）をさらに備え、該少なくとも１つの通信ポート用の前記受信バンドパスフィルタ（４０８、４１４）および該送信バンドパスフィルタ（４０６、４１２）が、該受信信号と送信信号との間に分離を提供するように構成されている、請求項１に記載の無線通信装置。
【請求項３】
前記少なくとも１つの通信ポート用の前記受信バンドパスフィルタ（４０８、４１４）および前記送信バンドパスフィルタ（４０６、４１２）が、別の通信バンドに関連した信号を除去するようにさらに構成されている、請求項２に記載の無線通信装置。
【請求項４】
前記Ｎプレクサ（４０４）がＦＢＡＲ装置である、請求項１に記載の無線通信装置。
【請求項５】
前記Ｎプレクサ（４０４）がＳＡＷ装置を備える、請求項１に記載の無線通信装置。
【請求項６】
前記Ｎプレクサ（４０４）がインダクタ・コンデンサ装置を備える、請求項１に記載の無線通信装置。
【請求項７】
前記ＧＰＳフィルタ（４１０）の出力部に結合されたＧＰＳ受信回路（４２２）をさらに備え、前記ＧＰＳ通信バンドは約１５７５ＭＨｚのＧＰＳ中心周波数を有する、請求項１に記載の無線通信装置。
【請求項８】
前記複数の通信バンドのうちの１つの通信バンドが、約１９００ＭＨｚのＰＣＳ中心周波数を有するＰＣＳバンドである、請求項１に記載の無線通信装置。
【請求項９】
前記複数の通信バンドのうちの１つの通信バンドが、約８００ＭＨｚのセルラー中心周波数を有するセルラー通信バンドである、請求項１に記載の無線通信装置。
【請求項１０】
マルチバンド無線通信装置（４００）であって、
アンテナ（４０２）と、
Ｎプレクサであって、
受信信号パス（４１８）および送信信号パス（４１６）を備える第１の通信信号ポート（４２８）と、
ＧＰＳ受信信号パス（４２０）を備えるＧＰＳ信号ポート（４１０）と、
受信信号パス（４２６）および送信信号パス（４２４）を備える第２の通信信号ポート（４３０）とを備える、Ｎプレクサと
を備える、マルチバンド無線通信装置（４００）。
【請求項１１】
各受信信号パス（４１８、４２０、４２６）が、関連した通信信号ポート（４２８、４１０、４３０）に対する受信バンド幅内の受信信号を通すように、かつ別の関連していない通信信号ポート（４２８．４１０、４３０）に関連した受信信号を除去するように構成されたフィルタ（４０８，４１０、４１４）を備える、請求項１０に記載のマルチバンド無線通信装置（４００）。
【請求項１２】
各送信信号パス（４１６、４２４）が、関連した通信信号ポート（４２８、４３０）に対する送信バンド幅内の送信信号を通すように、かつ該関連した通信信号ポート（４２８、４３０）の前記受信した信号に対する分離を提供するように構成されたフィルタ（４０６、４１２）を備える、請求項１１に記載のマルチバンド無線通信装置（４００）。
【請求項１３】
前記ＧＰＳ受信信号パス（４２０）が、受信したＧＰＳ信号を通すように、かつ別の通信信号ポート（４２８、４３０）に関連した受信信号を除去するように構成されたＧＰＳフィルタ（４１０）を備える、請求項１２に記載のマルチバンド無線通信装置（４００）。
【請求項１４】
前記Ｎプレクサ（４０４）がＦＢＡＲ装置である、請求項１０に記載のマルチバンド無線通信装置（４００）。
【請求項１５】
前記第１の通信信号ポート（４２８）が、約１９００ＭＨｚのＰＣＳ中心周波数を有するＰＣＳ用信号ポートである、請求項１０に記載のマルチバンド無線通信装置（４００）。
【請求項１６】
前記第２の通信信号ポート（４３０）が、約８００ＭＨｚの中心周波数を有するセルラー用信号ポートである、請求項１５に記載のマルチバンド無線通信装置（４００）。
【請求項１７】
アンテナ（４０２）と、
該アンテナ（４０２）を用いて複数の通信バンドに関連した信号を通信し、かつＧＰＳ信号を受信するように構成されたＮプレクサ（４０４）とを備えた無線通信装置（４００）であって、該Ｎプレクサ（４０４）は、
該複数の通信バンドに関連した複数の通信ポート（４２８、４３０）であって、該複数の通信ポート（４２８、４３０）の各通信ポートは、該関連した通信バンドの受信信号を通すように、かつ関連していない通信バンドの受信信号を除去するように構成された受信バンドパスフィルタ（４０８、４１４）を備える、複数の通信ポートと、
ＧＰＳ通信バンドの該受信されたＧＰＳ信号を通すように構成されたＧＰＳ受信フィルタ（４１０）と
を備える、無線通信装置（４００）。
【請求項１８】
前記複数の通信ポート（４２８、４３０）の少なくとも１つの通信ポートが、関連した通信バンドの送信信号を通すように構成された送信バンドパスフィルタ（４０６、４１２）をさらに備え、該少なくとも１つの通信ポート用の前記受信バンドパスフィルタ（４０８、４１４）および該送信バンドパスフィルタ（４０６、４１２）が、該受信信号と送信信号との間に分離を提供する、請求項１７に記載の無線通信装置（４００）。
【請求項１９】
前記少なくとも１つの通信ポート用の前記受信バンドパスフィルタ（４０８、４１４）および前記送信バンドパスフィルタ（４０６、４１２）が、関連していない通信バンドに関連した信号を除去する、請求項１７に記載の無線通信装置（４００）。
【請求項２０】
前記Ｎプレクサ（４０４）がＦＢＡＲ装置である、請求項１７に記載の無線通信装置（４００）。
【請求項２１】
前記Ｎプレクサ（４０４）がＳＡＷ装置を備える、請求項１７に記載の無線通信装置（４００）。
【請求項２２】
前記Ｎプレクサ（４０４）がインダクタ・コンデンサ装置を備える、請求項１７に記載の無線通信装置（４００）。
【請求項２３】
前記ＧＰＳ通信バンドが１５７５ＭＨｚのＧＰＳ中心周波数を有する、請求項１７に記載の無線通信装置（４００）。
【請求項２４】
前記複数の通信バンドのうちの１つの通信バンドが、１９００ＭＨｚのＰＣＳ中心周波数を有するＰＣＳバンドである、請求項１７に記載の無線通信装置（４００）。
【請求項２５】
前記複数の通信バンドのうちの１つの通信バンドが、８００ＭＨｚのセルラー中心周波数を有するセルラー通信バンドである、請求項１７に記載の無線通信装置（４００）。
【請求項２６】
無線通信装置（４００）における無線通信方法であって、該方法は、
単一のアンテナ（４０２）上において複数の通信バンドの複数の受信信号を受信するステップと、
該複数の受信信号をＮプレクサ（４０４）に結合するステップと、
該Ｎプレクサ（４０４）の複数の受信フィルタ（４０８、４１４）を用いて該複数の受信信号をバンドパスフィルタリングするステップと、
該単一のアンテナ（４０２）上においてＧＰＳ信号を受信するステップと、
該ＧＰＳ信号を該Ｎプレクサ（４０４）に結合するステップと、
ＧＰＳバンドフィルタ（４１０）を用いて該ＧＰＳ信号をバンドパスフィルタリングするステップと
を包含する、無線通信方法。
【請求項２７】
前記Ｎプレクサ（４０４）の複数の送信フィルタ（４０６、４１２）を用いて複数の送信信号（４１６、４２４）をバンドパスフィルタリングするステップと、該フィルタリングされた送信信号を前記アンテナ（４０２）に結合するステップとをさらに包含する、請求項２６に記載の方法。
【請求項２８】
前記Ｎプレクサ（４０４）を用いて前記複数の送信信号から前記複数の受信信号を分離するステップをさらに包含する、請求項２７に記載の方法。
【請求項２９】
前記Ｎプレクサ（４０４）がＳＡＷ装置を備える、請求項２６に記載の方法。
【請求項３０】
前記Ｎプレクサ（４０４）がＦＢＡＲ装置である、請求項２６に記載の方法。
【手続補正２】
【補正対象書類名】明細書
【補正対象項目名】０００６
【補正方法】変更
【補正の内容】
【０００６】
第３の方法は、トリバンド（ｔｒｉ−ｂａｎｄ）アンテナを用いて無線ハンドセットにＧＰＳの性能を追加する方法である。トリバンドアンテナは、例えば、セルラー周波数と、ＰＣＳ周波数と、ＧＰＳ周波数を受信するように構成される。しかし、アンテナの設計における制限によって、そのようなアンテナは通常、セルラーもしくはＰＣＳの性能の一方、または両方を危うくする。トリバンドアンテナを用いることによって、アンテナに対するコストが、実質的に増す。参考文献ＥＰ１２８３５９９Ａ１は、カスケード式ダイプレクサを用いたトリバンドアンテナについて開示している。参考文献ＥＰ０９５９５６７Ａ１は、マルチバンドアンテナ用に用いられ得るダイプレクサについて開示している。参考文献ＥＰ０７４７９８８Ａ１は、マルチバンドアンテナ用に用いられ得る高周波数複合素子について開示している。
【手続補正３】
【補正対象書類名】図面
【補正対象項目名】全図
【補正方法】変更
【補正の内容】
【図１】
2007525857.tif 000019
【図２Ａ】
2007525857.tif 000020
【図２Ｂ】
2007525857.tif 000021
【図３Ａ】
2007525857.tif 000022
【図３Ｂ】
2007525857.tif 000023
【図４】
2007525857.tif 000024
【図５】
2007525857.tif 000025
【図６】
2007525857.tif 000026
【図７】
2007525857.tif 000027
【図８】
2007525857.tif 000028
【図９】
2007525857.tif 000029
【図１０】
2007525857.tif 000030
【図１１】
2007525857.tif 000031
【図１２】
2007525857.tif 000032
【図１３】
2007525857.tif 000033
【図１４】
2007525857.tif 000034
【図１５】
2007525857.tif 000035
【図１６】
2007525857.tif 000036
【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
無線通信装置（４００）であって、
アンテナ（４０２）を備えているアンテナインターフェースと、
ＧＰＳ受信回路（４２２）と、
単一装置のＮプレクサ（４０４）であって、
該アンテナインタフェース（４０２）に接続された入力−出力ラインと、
該入力−出力ラインに接続された第１の通信ポート（４２８）であって、
第１の送信信号ライン（４１６）から該アンテナ（４０２）へと第１の送信信号を通信するように高周波数バンドで動作するように構成された第１の送信フィルタ（４０６）と、
該アンテナ（４０２）から第１の受信信号ライン（４１８）へと第１の受信信号を通信するように該高周波数バンドで動作するように構成された第１の受信フィルタ（４０８）と
を備える、第１の通信ポート（４２８）と、
該入力−出力ラインに接続された第２の通信ポートであって、
ＧＰＳ周波数に対応する中間周波数バンドで動作するように構成された第２の受信フィルタ（４１０）であって、該アンテナ（４０２）から該ＧＰＳ受信回路（４２２）へと第２の受信信号（４２０）を通信する、第２の受信フィルタ（４１０）
を備える、第２の通信ポートと、
該入力−出力ラインに接続された第３の通信ポート（４３０）であって、
第３の送信信号ライン（４２４）から該アンテナ（４０２）へと第３の送信信号を通信するように低周波数バンドで動作するように構成された第３の送信フィルタ（４１２）と、
該アンテナ（４０２）から第３の受信信号ライン（４２６）へと第３の受信信号を通信するように該低周波数バンドで動作するように構成された第３の受信フィルタ（４０８）と
を備える、第３の通信ポート（４３０）と
を備える、Ｎプレクサ（４０４）と
を備える、無線通信装置（４００）。
【請求項２】
前記Ｎプレクサの少なくとも１つのフィルタが、Ｆｉｌｍ  Ｂｕｌｋ  Ａｃｏｕｓｔｉｃ  Ｒｅｓｏｎａｔｏｒ（ＦＢＡＲ）材料から構成される、請求項１に記載の無線通信装置（４００）。
【請求項３】
前記高周波数バンドが、１８００ＭＨｚレンジにおいてＰＣＳ周波数バンドに対応する、請求項１に記載の無線通信装置（４００）。
【請求項４】
前記低周波数バンドが、８００ＭＨｚレンジにおいてセルラー周波数バンドに対応する、請求項１に記載の無線通信装置（４００）。
【請求項５】
前記第１の送信フィルタ（４０６）および前記第１の受信フィルタ（４０８）が、関連している前記第１の送信信号と前記第１の受信信号とをお互いから分離させるように構成されており、
前記第３の送信フィルタ（４１２）および前記第３の受信フィルタ（４１４）が、関連している前記第３の送信信号と前記第３の受信信号とをお互いから分離させるように構成されている、請求項１に記載の無線通信装置（４００）。
【請求項６】
前記第１の通信ポート（４２８）に関連している前記第１の送信フィルタ（４０６）および前記第１の受信フィルタ（４０８）が、前記第２の通信ポートに関連している中間周波数信号と、前記第３の通信ポート（４３０）に関連している低周波数信号とを排除するようにさらに構成されており、
該第２の通信ポートに関連している前記第２の受信フィルタ（４１０）が、該第１の通信ポート（４２８）に関連している高周波数信号と、該第３の通信ポート（４３０）に関連している低周波数信号とを排除するようにさらに構成されており、
該第３の通信ポート（４３０）に関連している前記第３の送信フィルタ（４１２）および前記第３の受信フィルタ（４１４）が、該第２の通信ポートに関連している中間周波数信号と、該第１の通信ポート（４２８）に関連している高周波数信号とを排除するようにさらに構成されている、請求項１に記載の無線通信装置（４００）。
【請求項７】
無線通信装置であって、
少なくとも３つの通信バンドの信号を通信するように構成されたアンテナ回路（４０２）と、
ＧＰＳ受信回路（４２２）と、
複数のフィルタ（４０６、４０８、４１０、４１２、４１４）を有している単一部品のＮプレクサ（４０４）であって、
該アンテナ回路（４０２）に電気的に結合された通信ラインと、
該通信ラインに接続された第１の通信ポート（４２８）であって、
約１８００ＭＨｚの中心周波数を有している高周波数バンドで動作するように構成された、該複数のフィルタのうちの第１の送信フィルタ（４０６）であって、第１の送信信号ライン（４１６）から該アンテナ回路（４０２）への第１の送信信号をフィルタリングする、第１の送信フィルタ（４０６）と、
該高周波数バンドで動作するように構成された、該複数のフィルタのうちの第１の受信フィルタ（４０８）であって、該アンテナ回路（４０２）から第１の受信信号ライン（４１８）への第１の受信信号をフィルタリングする、第１の受信フィルタ（４０８）と
を備える、第１の通信ポート（４２８）と、
該通信ラインに接続された第２の通信ポートであって、
約１５７５ＭＨｚの中心周波数を有しているＧＰＳ周波数で動作するように構成された、該複数のフィルタのうちの第２の受信フィルタ（４１０）であって、該アンテナ回路（４０２）から、該ＧＰＳ受信回路（４２２）に接続された第２の受信信号ライン（４２０）への第２の受信信号をフィルタリングする、第２の受信フィルタ（４１０）
を備える、第２の通信ポートと、
該通信ラインに接続された第３の通信ポート（４３０）であって、
約８００ＭＨｚの中心周波数を有している低周波数バンドで動作するように構成された、該複数のフィルタのうちの第３の送信フィルタ（４１２）であって、送信信号ライン（４２４）から該アンテナ回路（４０２）への第３の送信信号をフィルタリングする、第３の送信フィルタ（４１２）と、
該低周波数バンドで動作するように構成された、該複数のフィルタのうちの第３の受信フィルタ（４１４）であって、該アンテナ回路（４０２）から第３の受信信号ライン（４２６）への第３の受信信号をフィルタリングする、第３の受信フィルタ（４１４）と
を備える、第３の通信ポート（４３０）と
を備える、Ｎプレクサ（４０４）と
を備える、無線通信装置。
【請求項８】
前記第３の通信ポート（４３０）と前記第１の通信ポート（４２８）とのうちの１つが、８００Ｍｈｚと１８００Ｍｈｚと以外の中心周波数を有している代替周波数バンドで動作するように構成されている、請求項７に記載の無線通信装置。
【請求項９】
少なくとも３つの通信バンドで無線通信装置において信号を通信する方法であって、
該信号がアンテナ（４０２）上で受信された場合、
単一部品のＮプレクサ（４０４）の入力−通信ポートに該信号を結合することと、
該単一部品のＮプレクサ（４０４）を介して該信号をフィルタリングすることであって、
該信号が、第１の中心周波数を有している高周波数バンド内である場合、該高周波数バンドで動作するように構成された第１の受信フィルタ（４０８）を介して、該入力−出力ポートからの該信号をフィルタリングすることであって、該第１の受信フィルタ（４０８）は該フィルタリングされた信号を第１の受信信号ライン（４１８）上に出力する、ことと、
該信号が、ＧＰＳ中心周波数を有しているＧＰＳ周波数バンド内である場合、ＧＰＳ受信フィルタ（４１０）を介して該入力−出力ポートからの該信号をフィルタリングすることであって、該ＧＰＳ受信フィルタ（４１０）は該フィルタリングされた信号を、ＧＰＳ受信回路（４２２）に接続されたＧＰＳ受信信号ライン（４２０）上に出力する、ことと、
該信号が、第３の中心周波数を有している低周波数バンド内である場合、該低周波数バンドで動作するように構成された第３の受信フィルタ（４１４）を介して、該入力−出力ポートからの該信号をフィルタリングすることであって、該第３の受信フィルタ（４１４）は該フィルタリングされた信号を第３の受信信号ライン（４２６）上に出力する、ことと
を包含する、ことと、
該信号が該アンテナ（４０２）上で送信された場合、
該単一部品のＮプレクサ（４０４）を介して該信号をフィルタリングすることであって、
該信号が、第１の中心周波数を有している高周波数バンド内である場合、該高周波数バンドで動作するように構成された第１の送信フィルタ（４０６）を介して、第１の送信信号ライン（４１６）からの該信号をフィルタリングすることであって、該第１の送信フィルタ（４０６）は該フィルタリングされた信号を、該アンテナ（４０２）に接続された該単一部品のＮプレクサ（４０４）の該入力−出力ポート上に出力する、ことと、
該信号が、第３の中心周波数を有している低周波数バンド内である場合、該低周波数バンドで動作するように構成された第３の送信フィルタ（４１２）を介して、第３の送信信号ライン（４２４）からの該信号をフィルタリングすることであって、該第３の送信フィルタ（４１２）は該フィルタリングされた信号を、該アンテナに接続された該単一部品のＮプレクサ（４０４）の該入力−出力ポート上に出力する、ことと
を包含する、ことと
を包含する、方法。
【請求項１０】
前記高周波数バンドが、約１８００ＭＨｚの第１の中心周波数を有しているＰＣＳ周波数バンドである、請求項９に記載の方法。
【請求項１１】
前記低周波数バンドが、約８００ＭＨｚの第３の中心周波数を有しているセルラー周波数バンドである、請求項９に記載の方法。
【国際調査報告】
2007525857.tif 000037
2007525857.tif 000038